(57)【要約】【課題】  駆動用のロープが切断された場合や、巻上機のブレーキが使用できない場合にも、安全性を確保できるエレベーター装置を提供する。【解決手段】  昇降路１内のガイドレールに沿って乗りかご２と釣合いおもり９が移動するエレベーター装置において、前記乗りかご２と釣合いおもり９を連結する第１のロープ５と、この第１のロープ５とは別に前記乗りかご２と釣合いおもり９を連結する第２のロープ１６と、この第２のロープ１６を巻き掛けて駆動する巻上機１５と、前記第１のロープ５を制動するブレーキ１７を設けた。【選択図】  図１
2006027784.tif 000002
【特許請求の範囲】
【請求項１】
昇降路内のガイドレールに沿って乗りかごと釣合いおもりが移動するエレベーター装置において、前記乗りかごと釣合いおもりを連結する第１のロープと、この第１のロープとは別に前記乗りかごと釣合いおもりを連結する第２のロープと、この第２のロープを巻き掛けて駆動する巻上機と、前記第１のロープを制動するブレーキを備えたことを特徴とするエレベーター装置。
【請求項２】
昇降路内のガイドレールに沿って乗りかごと釣合いおもりが移動するエレベーター装置において、第１のロープと、第２のロープと、前記第２のロープを巻き掛けて駆動する巻上機を備え、前記第１のロープは、一端が前記乗りかごに連結され、他端が前記乗りかごから上方へ延びて第１滑車により方向転換され、更に第２滑車により方向転換されて下方へ延びて前記釣合いおもりに連結されており、前記第１のロープを制動するブレーキが前記第１滑車または第２滑車に取付けられ、前記第２のロープは、一端が前記乗りかごに連結され、他端が前記乗りかごから上方へ延びて前記巻上機により方向転換され、下方へ延びて前記釣合いおもりに連結されていることを特徴とするエレベーター装置。
【請求項３】
請求項２において、前記第１のロープ，第１滑車および第２滑車が、それぞれ２つ以上設けられ、前記第１滑車または第２滑車に取付けられたブレーキが２つ以上設けられていることを特徴とするエレベーター装置。
【請求項４】
請求項１乃至３のいずれかにおいて、前記巻上機の駆動シーブの鉛直投影が、前記乗りかごの鉛直投影および前記釣合いおもりの鉛直投影と重なるように配置されていることを特徴とするエレベーター装置。
【請求項５】
昇降路内のガイドレールに沿って乗りかごと釣合いおもりが移動するエレベーター装置において、前記乗りかごと前記釣合いおもりを連結する第１のロープと、前記釣合いおもりとは別に設けられた補助釣合いおもりと、前記乗りかごと前記補助釣合いおもりを連結する第２のロープと、この第２のロープを巻き掛けて駆動する巻上機と、前記第１のロープを制動するブレーキを備えたことを特徴とするエレベーター装置。
【請求項６】
請求項５において、前記補助釣合いおもりの質量が、前記乗りかごの許容積載重量の１／２と前記エレベーター装置の走行抵抗を加算した値よりも大きく、前記釣合いおもりの質量が、前記乗りかごの質量と前記乗りかごの許容積載重量の１／２を加算した値から前記補助釣合いおもりの質量を減算した値であることを特徴とするエレベーター装置。
【請求項７】
請求項５または６のいずれかにおいて、前記巻上機の駆動シーブの鉛直投影が、前記乗りかごの鉛直投影および前記補助釣合いおもりの鉛直投影と重なるように配置されていることを特徴とするエレベーター装置。
【請求項８】
請求項１乃至７のいずれかにおいて、前記釣合いおもりのガイドレールに、第１のロープまたは第２のロープの振れ止め装置が取付けられていることを特徴とするエレベーター装置。
【発明の詳細な説明】
【技術分野】
【０００１】
本発明は、昇降路内のガイドレールに沿って乗りかごと釣合いおもりが移動するエレベーター装置に関するものである。
【背景技術】
【０００２】
従来から、乗りかごと釣合いおもりを懸垂するために用いるロープと、駆動力を与えるために用いられるロープとを、別個に設けたエレベーター装置が提案されている。例えば、特許文献等１には、吊り下げワイヤと駆動ワイヤを分離することにより、駆動ワイヤの張力を小さくすることが記載されている。また、この特許文献等１には、駆動ワイヤの径が小さくなるので、結果として駆動機構の小型化が可能となることも示されている。
【０００３】
【特許文献１】特開２０００−６３０５７号公報
【発明の開示】
【発明が解決しようとする課題】
【０００４】
しかしながら、単に懸垂用のロープと駆動用のロープを別個に設けたエレベーター装置では、駆動用のロープが切断された場合や、駆動用のロープを巻き掛けた巻上機のブレーキが使用できない場合への配慮が十分なされてはいなかった。
【０００５】
本発明の目的は、駆動用のロープが切断された場合や、巻上機のブレーキが使用できない場合にも、安全性を確保できるエレベーター装置を提供することである。
【課題を解決するための手段】
【０００６】
上記目的を達成するために、本発明は、昇降路内のガイドレールに沿って乗りかごと釣合いおもりが移動するエレベーター装置において、前記乗りかごと前記釣合いおもりを連結する第１のロープと、この第１のロープとは別に前記乗りかごと前記釣合いおもりを連結する第２のロープと、この第２のロープを巻き掛けて駆動する巻上機と、前記第１のロープを制動するブレーキを備えた。
【発明の効果】
【０００７】
本発明によれば、駆動用のロープが切断された場合や、巻上機のブレーキが使用できない場合にも、安全性を確保したエレベーター装置を提供することができる。
【発明を実施するための最良の形態】
【０００８】
以下、本発明の実施例について、図面に基づいて説明する。
【０００９】
図１は、本発明の第１の実施例を示すエレベーター装置の昇降路１の平面断面図である。本実施例のエレベーター装置は、乗りかご２が、乗りかごガイドレール３ａ，３ｂに沿って昇降し、釣合いおもり９が、釣合いおもりガイドレール１０ａ，１０ｂに沿って昇降するように構成されている。
【００１０】
また、乗りかご２の上部には、乗りかご上枠４が設けられており、この乗りかご上枠４に第１のロープ（以下、懸垂用ロープ）５の一端が連結されている。そして、懸垂用ロープ５の他端は、乗りかご上枠４から上方へ延びて、乗りかご側懸垂用滑車（以下、第１滑車）７に巻き掛けられ、水平方向へ方向転換され、釣合いおもり側懸垂滑車（以下、第２滑車）８へ至る。ここで、第１滑車７及び第２滑車８は、昇降路１の上部に設けられた懸垂用滑車固定ビーム６ａ，６ｂに設置されている。次に、第２滑車８に巻き掛けられた懸垂用ロープ５の他端は、方向転換されて下方へ延び、釣合いおもり９の上部に設けられた釣合いおもり吊り枠２１に連結されている。
【００１１】
さらに、懸垂ロープ５とは別個に、第２のロープ（以下、駆動ロープ）１６の一端が、乗りかご吊り枠１２に連結されている。そして、駆動ロープ１６の他端は、乗りかご吊り枠１２から上方へ延びて、巻上機１５の駆動シーブ１４により方向転換され、下方へ延びて釣合いおもり吊り枠２１に連結されている。尚、駆動シーブ１４の鉛直投影は、乗りかご２の鉛直投影と重なり、また、釣合いおもり９の鉛直投影とも重なるように配置されているので、平面的にも省スペース化を図ることができる。
【００１２】
このように、駆動ロープ１６とは別個に、懸垂ロープ５を設けることにより、駆動シーブ１４による摩擦力が懸垂ロープ５には加わらず、この懸垂ロープ５の寿命を飛躍的に伸ばすことができる。また、懸垂ロープ５について、繰り返し曲げに対する条件を厳しくしても、具体的には、方向転換回数を多くしたり、逆向きの方向転換をさせたり、滑車７，８の径を小さくしても、十分な寿命が維持できる。そして、滑車７，８の径を小さくすれば、昇降路上部の空間の省スペース化が実現できる。
【００１３】
また、駆動シーブ１４に作用する荷重が低減されるので、駆動ロープ１６の許容破断荷重が、懸垂ロープ５と比較して、小さなもので良い。そして、駆動ロープ１６の径を小さくすれば、駆動シーブ１４の径も小さくでき、また、駆動力や制動力も小さくて済むことから、巻上機１５の小型化，軽量化も可能であり、巻上機１５の据付性の改善にもつながる。したがって、機械室がなく巻上機１５を昇降路１の上部に配置するエレベーター装置においては、昇降路１上部の省スペース化が実現でき、機械室に巻上機１５を配置するエレベーター装置においては、巻上機１５が周壁部に配置されることから、点検用動線が広く取れるなどの利点がある。
【００１４】
尚、釣合いおもりガイドレール１０ａ，１０ｂに沿って昇降路の高さ方向に、コ字状型のロープ振れ止め装置１８を取付けたので、地震などにより懸垂ロープ５や駆動ロープ
１６が振れた場合に、懸垂ロープ５や駆動ロープ１６が昇降路１内の突出物に引っ掛かるのを防止することができる。
【００１５】
また、第１滑車７から下方へ延びる懸垂ロープ５の位置は、乗りかご２を安定的に吊るため、乗りかごガイドレール３ａ，３ｂの中間もしくは乗りかご２の重心を通り鉛直方向と平行な直線の近傍とするのが望ましい。
【００１６】
図２は、本実施例のエレベーター装置を側面から見た図である。図２の通り、昇降路の上部に設けられた第１滑車７には、ブレーキ装置１７が取付けられている。
【００１７】
このブレーキ装置１７によれば、巻上機１５に設けられたブレーキを保守するときなど、本来のブレーキの制動力が期待できない場合に、懸垂ロープ５を制動して乗りかご２を一定の位置に保持することが可能となる。つまり、巻上機１５のブレーキの保守作業等を安全に行うことができる。
【００１８】
また、駆動ロープ１６が切断された場合、乗りかご２の重量およびその積載重量が釣合いおもり９の重量よりも大きいときは、非常止め装置が作動して、乗りかご２の落下が防止される。一方で、乗りかご２の重量およびその積載重量が釣合いおもり９よりも小さいときは、通常、非常止め装置は作動しない。しかしながら、本実施例では、ブレーキ装置１７によって、懸垂ロープ５を制動し、乗りかご２の上方への移動を阻止することができる。つまり、乗りかごの上方向の非常止めの機能を容易に実現することができる。
【００１９】
さらに、懸垂ロープ５に比べて、駆動ロープ１６の方が磨耗しやすいため、駆動ロープ１６の交換作業が多くなるが、このとき、第１滑車に設けられたブレーキ装置１７を動作させて懸垂ロープ５を制動することにより、駆動ロープ１６を安全に交換することもできる。
【００２０】
ここで、懸垂ロープ５の使用時の伸びや経年伸びに比べて、駆動ロープ１６の使用時の伸びや経年伸びが小さくなるように組み合わせることにより、駆動シーブ１４との摩擦力を確保できる。
【００２１】
尚、本実施例では、第１滑車にブレーキ装置を設けたが、第２滑車にブレーキ装置を設けたものや、第１滑車と第２滑車の両方にブレーキ装置を設けたものであっても構わない。
【００２２】
また、第１滑車または第２滑車に設けるブレーキ装置としては、例えば、図３や図４のような構成のものを用いることができる。そして、いずれのブレーキ装置も、制動ばね
２２などの弾性体によって、アーマチュア２３が第１滑車７または第２滑車８の内周面に押圧されるようになっている。
【００２３】
しかし、通常時は、コイル２４に電流を流して電磁力を発生させ、その電磁力が、制動ばね２２の弾性力に抗して、アーマチュア２３を吸引する。これにより、アーマチュア
２３が第１滑車７または第２滑車８の内周面から離れ、ブレーキ装置は開放状態となっている。
【００２４】
一方、駆動ロープ１６が切断された場合などの非常時には、コイルへ電流を流すのをやめることにより、電磁力が発生しなくなる。すると、制動ばね２２の弾性力によって、アーマチュア２３が第１滑車７または第２滑車８の内周面を押圧するようになり、ブレーキ装置は制動状態となる。
【００２５】
次に、本発明の第２の実施例について、図５および図６を用いて説明する。本実施例では、２つの懸垂ロープ５，５ａによって、乗りかご２と釣合いおもり９が連結されている。そして、懸垂ロープ５を方向転換する第１滑車７および第２滑車８は、その両側に設けられた懸垂用滑車固定ビーム６ａ，６ｂで支持されている。また、懸垂ロープ５ａを方向転換する第１滑車７ａおよび第２滑車８ａは、その両側に設けられた懸垂用滑車固定ビーム６ｃ，６ｄで支持されている。
【００２６】
本実施例では、懸垂ロープ，第１滑車及び第２滑車，乗りかご及び釣合いおもりの綱止め部を、それぞれ複数設けているので、それぞれ１つの場合と比べて、懸垂ロープ等に作用する荷重を低減することができる。したがって、乗りかご２が大型化し、それに伴って乗りかご２の許容積載重量や釣合いおもりの質量も増加しても、懸垂ロープ５の許容破断荷重を大きくしたり、滑車を大きくしたり、その他の強度部材を大型化する必要がない。更にいえば、懸垂用滑車固定ビームを、乗りかご２の中心を挟んで左右に配置したので、乗りかご２の上枠４に作用する最大曲げモーメントを抑えることができる。これにより、懸垂用滑車固定ビーム６ａ，６ｂ，６ｃ，６ｄを小型化することができ、結果として、昇降路１の上部を省スペース化することが可能となるのである。また、ブレーキについても複数設けることにより、ブレーキの大型化を防ぐこともできる。
【００２７】
尚、本実施例では、懸垂ロープ等を２つ設けたが、３つ以上設けても構わない。
【００２８】
さらに、本発明の第３の実施例について、図７および図８を用いて説明する。本実施例では、釣合いおもり９とは別に、補助釣合いおもり２０が設けられており、駆動ロープ
１６は、巻上機１５の駆動シーブ１４を介して、乗りかご２と補助釣合いおもり２０を連結している。また、補助釣合いおもり２０の質量を、乗りかご２の質量よりも小さな値、具体的には「乗りかご２の許容積載重量の１／２」と「エレベーター装置の走行抵抗」を加算した値よりも若干大きな値とする。また、釣合いおもり９の質量を、「乗りかご２の質量」と「乗りかご２の許容積載重量の１／２」を加算した値から「補助釣合いおもり
２０の質量」を減算した値とする。
【００２９】
例えば、「乗りかご２の質量」を１５００kg、「乗りかご２の許容積載重量」を1000kg、「エレベーター装置の走行抵抗」を１００kgとすれば、「補助釣合いおもり２０の質量」は６００kg、「釣合いおもり９の質量」は１４００kgとなる。
【００３０】
本実施例によれば、懸垂ロープ５が切断した場合も、駆動ロープ１６が切断した場合も、必ず、乗りかご２が下方へ移動することになるが、このとき、下方向の非常止め装置によって安全性が確保される。つまり、異常時においても乗りかご２が上方へ急上昇することはなく、上方向の非常止め装置等の安全装置を不要もしくは簡易にすることができる。
【００３１】
尚、本実施例では、補助釣合いおもり２０を、釣合いおもり９の近傍に配置したが、このような配置に限らない。つまり、駆動シーブ１４の鉛直投影が、補助釣合いおもり２０の鉛直投影と重なり、乗りかご２の鉛直投影と重なるような配置であれば、他の配置としても構わない。したがって、昇降路１の大きさや形に応じて、エレベーター装置の構成を柔軟に対応させることができる。
【図面の簡単な説明】
【００３２】
【図１】本発明の第１の実施例を示すエレベーター装置の昇降路の平面断面図である。
【図２】本発明の第１の実施例を示すエレベーター装置の昇降路の側面断面図である。
【図３】本発明のブレーキ装置の構成を示す図である。
【図４】本発明の別のブレーキ装置の構成を示す図である。
【図５】本発明の第２の実施例を示すエレベーター装置の昇降路の平面断面図である。
【図６】本発明の第２の実施例を示すエレベーター装置の昇降路の側面断面図である。
【図７】本発明の第３の実施例を示すエレベーター装置の昇降路の平面断面図である。
【図８】本発明の第３の実施例を示すエレベーター装置の昇降路の側面断面図である。
【符号の説明】
【００３３】
１…昇降路、２…乗りかご、３ａ，３ｂ…乗りかごガイドレール、４…上枠、５…懸垂ロープ、６ａ，６ｂ，６ｃ，６ｄ…懸垂用滑車固定ビーム、７，７ａ…第１滑車、８，
８ａ…第２滑車、９…釣合いおもり、１０ａ，１０ｂ…釣合いおもりガイドレール、11ａ，１１ｂ…乗りかご吊り枠取付台、１２…乗りかご吊り枠、１３…巻上機固定ベース、
１４…駆動シーブ、１５…巻上機、１６…駆動ロープ、１７…ブレーキ装置、１８，18ａ…ロープ振れ止め装置、１９，１９ａ…補助釣合いおもりガイドレール、２０…補助釣合いおもり、２１…釣合いおもり吊り枠、２２…制動ばね、２３…アーマチュア、２４…コイル。
【図１】
2006027784.tif 000003
【図２】
2006027784.tif 000004
【図３】
2006027784.tif 000005
【図４】
2006027784.tif 000006
【図５】
2006027784.tif 000007
【図６】
2006027784.tif 000008
【図７】
2006027784.tif 000009
【図８】
2006027784.tif 000010